(57)【特許請求の範囲】
【請求項１】
細菌やウイルスによる感染を防止するための感染防止ユニットであって、
陽圧、又は陰圧のうち一方の圧を供給される第１マスクと、
陽圧、又は陰圧のうち他方の圧を供給されるブース、又は第２マスクからなる隔離室と、
前記第１マスクに前記一方の圧を供給するとともに、前記隔離室に前記他方の圧を供給する換気ファンフィルタユニットと、
前記換気ファンフィルタユニットから前記陽圧を供給する陽圧供給路と、
前記換気ファンフィルタユニットから前記陰圧を供給する陰圧供給路と
を備え、
前記換気ファンフィルタユニットは、
前記陽圧を供給する給気ファンと、
前記陰圧を供給する排気ファンと、
前記給気ファン、及び前記排気ファンにより流される空気をろ過するフィルタと、
前記フィルタを挟んで前記陽圧供給路の反対側に設けられ、前記給気ファンに空気を供給する吸引口と、
前記フィルタを挟んで前記陰圧供給路の反対側、かつ前記フィルタに対し前記吸引口と同じ側において前記吸引口から隔離されて設けられ、前記排気ファンからの空気を排出する排出口と、
を有し、
前記給気ファンにより前記吸引口から前記陽圧供給路へ供給される空気と、前記排気ファンにより前記陰圧供給路から前記排出口へ排出される空気が前記フィルタの異なる部分を逆方向に通過するよう構成されていることを特徴とする感染防止ユニット。
【請求項２】
前記隔離室がブースからなり車椅子に着脱自在に設けられるか、又は前記隔離室が第２マスクからなり車椅子に乗った患者に装着可能であり、前記換気ファンフィルタユニットが、前記車椅子に搭載可能な請求項１に記載の感染防止ユニット。
【請求項３】
前記吸引口は、部屋の内側から空気を吸引し、前記排出口は、前記部屋の外側へ空気を排出する請求項１に記載の感染防止ユニット。
【発明の詳細な説明】
【技術分野】
【０００１】
この発明は、車椅子やベッドを利用する患者と周囲の医療従事者との間で、ウイルス感染を防止するための感染防止ユニットに関する。
【背景技術】
【０００２】
従来、有害な微生物やウイルスに感染した患者から周囲への感染拡大を防止するため、患者を防護服やブースで覆うようにした感染防止具が提案されている（特許文献１参照）。
【０００３】
特許文献１では、車椅子に患者の体全体を収容するブース（隔離室）を設け、ＨＥＰＡフィルタを備えた給排気ユニットにより、ブース内に陽圧、又は陰圧を供給することで、車椅子に乗った患者と周囲の医療従事者との間の感染を防止するようにしている。
【先行技術文献】
【特許文献】
【０００４】
【特許文献１】特開２００５−２１４３３号公開公報
【発明の概要】
【発明が解決しようとする課題】
【０００５】
しかし、特許文献１の感染防止具では、患者をブースに収容する際や、何らかの原因でブースに漏れが生じた際等には、患者と医療従事者の間の感染を防止することができないという問題がある。
本発明は、上記課題に鑑みてなされたものであり、患者をブースに収容する際やブースに漏れが生じた場合等にも、患者と患者を世話する医療従事者との間の感染を防止することが可能な感染防止ユニットの提供を目的とする。
【課題を解決するための手段】
【０００６】
上記の課題を解決するためになされた発明は、細菌やウイルスによる感染を防止するための感染防止ユニットであって、陽圧、又は陰圧のうち一方の圧を供給される第１マスクと、陽圧、又は陰圧のうち他方の圧を供給されるブース、又は第２マスクからなる隔離室と、前記第１マスクに前記一方の圧を供給するとともに、前記隔離室に前記他方の圧を供給する換気ファンフィルタユニットと、前記換気ファンフィルタユニットから前記陽圧を供給する陽圧供給路と、前記換気ファンフィルタユニットから前記陰圧を供給する陰圧供給路とを備える。
【０００７】
本発明の感染防止ユニットは、このように換気ファンフィルタユニットに第１マスクだけでなく、ブース又は第２マスクを連結するようにし、第１マスクが陽圧の場合には、ブース、又は第２マスクを陰圧にし、第１マスクが陰圧の場合にはブース、又は第２マスクを陽圧になるよう構成したので、例えば、白血病や抗癌剤で免疫力が低下した患者を陽圧にしたブースに収容するか、陽圧にした第２マスクを着用させるかし、当該患者を世話する医療従事者に陰圧にした第１マスクを着用させることで、ブースや第２マスクに菌やウイルス等が侵入することを抑制するとともに、第１マスクから菌やウイルス等が漏れ出ることを抑制できるので、免疫力の低下した患者からこれを世話する医療従事者への感染を効果的に防止できる。
また、患者をブースに収容する際や、第２マスクを着用させる際、あるいは、ブースや第２マスクに漏れが生じた場合であっても、医療従事者が陰圧にした第１マスクを装着しておくことで、医療従事者から患者への感染を防止できる。
一方で、ウイルスに感染した患者について、ブースに収容するか、第２マスクを装着させる場合には、ブース又は第２マスクを陰圧にし、当該患者を世話する医療従事者に陽圧にした第１マスクを装着させることで、ブースや第２マスクからウイルスが漏れ出ることを抑制するとともに、当該医療従事者の第１マスクへウイルスが侵入することを抑制できるため、より確実にウイルスに感染した患者からこれを世話する医療従事者への感染を効果的に抑制できる。また、当該患者について、ブースに収容する際やマスクを装着させる際、あるいはブースや第２マスクに漏れが生じた場合にも、当該医療従事者に陽圧にした第１マスクを装着させておくことで当該患者から当該医療従事者への感染を抑制することができる。
【０００８】
前記換気ファンフィルタユニットは、前記陽圧を供給する給気ファンと、前記陰圧を供給する排気ファンと、前記給気ファン、及び前記排気ファンにより流される空気をろ過するフィルタと、前記フィルタを挟んで前記陽圧供給路の反対側に設けられ、前記給気ファンに空気を供給する吸引口と、前記フィルタを挟んで前記陰圧供給路の反対側、かつ前記フィルタに対し前記吸引口と同じ側において前記吸引口から隔離されて設けられ、前記排気ファンからの空気を排出する排出口と、を有し、前記給気ファンにより前記吸引口から前記陽圧供給路へ供給される空気と、前記排気ファンにより前記陰圧供給路から前記排出口へ排出される空気が前記フィルタの異なる部分を逆方向に通過するよう構成されている。
このように、前記給気ファンにより前記吸引口から前記陽圧供給路へ供給される空気と、前記排気ファンにより前記陰圧供給路から前記排出口へ排出される空気が前記フィルタの異なる部分を逆方向に通過するようにしたので、フィルタに孔の開く事故があった場合であっても、陽圧供給路から陰圧供給路へ菌やウイルス等が流出することを抑制できる。
【０００９】
本発明の感染防止ユニットは、前記隔離室がブースからなり車椅子に着脱自在に設けられるか、又は前記隔離室が第２マスクからなり車椅子に乗った患者に装着可能であり、前記換気ファンフィルタユニットが、前記車椅子に搭載可能なことが好ましい。こうすることで、医療従事者は、患者との感染を防止しながら、車椅子を押して患者を搬送することができる。
【００１０】
前記吸引口は、部屋の内側から空気を吸引し、前記排出口は、前記部屋の外側へ空気を排出することが好ましい。
こうすることで、当該感染防止ユニットを配置した部屋を陰圧にすることができる。
【発明の効果】
【００１１】
以上説明したように、本発明に係る感染防止ユニットによれば、患者と当該患者を世話する医療従事者の間の感染を効果的に抑制できる。
【図面の簡単な説明】
【００１２】
【図１】本発明の第１実施形態に係る感染防止ユニットの使用状態を示す概要図である。
【図２】図１の感染防止ユニットの別の使用方法を示す概要図である。
【図３】（ａ）図１に示す換気ファンフィルタユニットの平面図、（ｂ）左側面図、（ｃ）正面図、（ｄ）右側面図である。
【図４】図３の換気ファンフィルタユニットの内部を正面視で示す要部透過図である。
【図５】本発明の第２実施形態に係る感染防止ユニットの使用状態を示す斜視図である。
【図６】図５の感染防止ユニットの斜視図である。
【発明を実施するための形態】
【００１３】
以下、適宜図面を用いながら本発明の実施形態について詳述する。ただし、本発明は、以下の実施形態に限られるものではない。
【００１４】
（第１実施形態）
図１、図２は、本発明の第１実施形態に係る感染防止ユニット１００を示している。感染防止ユニット１００は、ウイルス等に感染した患者Ａと、この患者Ａの治療や看護にあたる医療従事者Ｂとの間の感染を防止するために用いられる。
感染防止ユニット１００は、図１、図２に示すように、患者Ａを車椅子Ｃで搬送する際に収容する第１ブース（隔離室）１と、示すベッドＤに寝かせた患者Ａを収容する第２ブース２と、医療従事者Ｂに着用させる第１マスク３と、換気ファンフィルタユニット４と、換気ファンフィルタユニット４から陽圧を供給する陽圧供給路５と、換気ファンフィルタユニット４から陰圧を供給する陰圧供給路６とを備えている。
【００１５】
第１ブース１は、図１に示すように、アルミニウム等の金属パイプからなるフレーム１１にビニールシート１２を張設して形成され、側面視で略倒Ｌ字となるよう形成して、車椅子に腰かけた患者Ａの全身を収容するよう構成されている。第１ブース１の後面１ａには、ビニールシート１２を貫通するエルボー管からなる吸排出口１３を備えている。第１ブース１は、吸排出口１３により陽圧供給路５、又は陰圧供給路６に連結される。
【００１６】
第２ブース（隔離室）２は、図２に示すように、患者Ａの足側を除く３つの側方と上方にアクリルボード等を設けた直方体状に形成され、ベッドＤに横たえた患者Ａの上半身を収容するよう構成されている。第２ブース２は、側面２１に設けられた管継手からなる吸排出口２２により陽圧供給路５、又は陰圧供給路６に連結される。
【００１７】
第１マスク３は、図１に示すように、医療従事者Ｂの頭部全体を覆うフルフェイスのマスク本体３１と、マスク本体３１の後頭部側に設けられる管継手からなる吸排出口３２とを備えている。ただし、第１マスク３は、頭部全体を覆うものに限らず、鼻と口の部分のみを覆うものであってもよい。第１マスク３は、吸排出口３２により陰圧供給路６、又は陽圧供給路５に連結される。
【００１８】
換気ファンフィルタユニット４は、図３、図４に示すように、直方体のケーシング４１と、ケーシング４１の内部に配設される給気ファン４２、排気ファン４３と、給気ファン４２、排気ファン４３により流される空気をろ過するフィルタ４４と、給気ファン４２に空気を供給する吸引口４５と、フィルタ４４を挟んで排気ファン４３からの空気を排出する排出口４６とを有する他、バッテリー（不図示）と、給気ファン４２，排気ファン４３を制御する制御部（不図示）を備えている。フィルタ４４は、ＨＥＰＡフィルタからなる。吸引口４２にはプレフィルタが、排出口４３にはスリット板がそれぞれ設けられている。
【００１９】
ケーシング４１の内部は、図３、図４に示すように、吸引口４５からの空気を受け入れる吸引室４１１と、排出口４６へ排気を送り出す排出室４１２と、給気ファン４２を収容する給気ファン収容室４１３と、排気ファン４３を収容する排気ファン収容室４１４と、フィルタ４４を収容するフィルタ収容室４１５とを備えている。フィルタ収容室４１５は、仕切り４７により陽圧供給室４１６と陰圧供給室４１７の二室に分割されるとともに、当該二室を連絡する開口部４１８を備えている。陽圧供給室４１６は、陽圧ノズル４８により陽圧供給路５に連通し、陰圧供給室４１７は、陰圧ノズル４９により陰圧供給路６に連通している。
一方、吸引室４１１と排出室４１２は隔離されており、給気ファン収容室４１３と排気ファン収容室４１４も隔離されている。陰圧供給室４１７には、陰圧供給室４１７の圧力を監視するための圧力ポート４１７ａが設けられている。
【００２０】
図４に示すように、陽圧供給路５、及び陽圧供給室４１６は、フィルタ４４を挟んで、吸引口４５の反対側に設けられ、吸引口４５から陽圧供給路５へ流送される空気は、フィルタ４４をその一方側（図４の下側）から他方側（図４の上側）へ通過する。
一方、陰圧供給路６、及び陰圧供給室４１７は、フィルタ４４を挟んで、排出口４６の反対側、かつフィルタ４４に対し陽圧供給路５、陽圧供給室４１６と同じ側に設けられ、陰圧供給路６から排出口４６へ流送される空気は、フィルタ４４をその他方側（図４の上側）から一方側（図４の下側）へ通過する。
【００２１】
感染防止ユニット１００を用いて患者Ａを搬送する際には、図１に示すように、まず、換気ファンフィルタユニット４を車椅子Ｃの座席の後ろにある基台Ｃ１に載置し、陰圧供給路６を車椅子Ｃに取り付けた第１ブース１の吸排出口１３に連結するとともに、陽圧供給路５を第１マスク３の吸排出口３２に連結する。医療従事者Ｂは、第１マスク３を着用し、換気ファンフィルタユニット４を起動して、第１マスク３へ陽圧（一方の圧）を、第１ブース１内へ陰圧（他方の圧）を供給する。この状態で医療従事者Ｂは患者Ａを第１ブース１へ収容するとともに、車椅子Ｃに座らせる。
第１マスク３は内部に陽圧が供給され、マスク本体３１の開口部からは空気が流出するため、この患者Ａを第１ブースへ収容する前に、患者Ａがウイルスを含んだ飛沫を吐き出したような場合であっても、医療従事者Ｂは、ウイルスに感染することを防止できる。
【００２２】
車椅子Ｃを用いて、患者ＡをベッドＤまで搬送したら、図２に示すように、車椅子Ｃから換気ファンフィルタユニット４を起動したまま床へ下ろし、陰圧供給路６を第１ブース１から外して、第２ブース２の吸排出口２２へ付け替える。しかるのち、患者Ａの上半身を第２ブース２へ収容するようにして、患者ＡをベッドＤへ寝かせる。この間も、医療従事者Ｂは、内部を陽圧にした第１マスク３を着用しているので、患者Ａからのウイルス感染を効果的に抑制できる。
【００２３】
図４に矢印で示すように、換気ファンフィルタユニット４において、給気ファン４２により、吸引口４５から吸引された空気は、吸引室４１１、給気ファン４２を経て給気ファン収容室４１３へ取り込まれフィルタ４４の陽圧供給室４１６に収容された部分４４ａを上向きに通過してろ過されたのち陽圧供給室４１６から陽圧供給路５へ供給される。
【００２４】
排気ファン４３により、陰圧供給路６から陰圧供給室４１７へ取り込まれた空気は、フィルタ４４の陰圧供給室４１７に収容された部分４４ｂを通過してろ過されたのち、排気ファン収容室４１４、排気ファン４３、及び排出室４１２を経て排出口４６から排出される。
このように、給気ファン４２により吸引口４５から陽圧供給路５へ供給される空気と、排気ファン４３により陰圧供給路６から排出口４６へ排出される空気がフィルタ４４の異なる部分４４ａ，４４ｂを上下逆方向に通過することで、例えば、フィルタ４４の部分４４ｂにウイルスが通過するような孔の開く欠陥があっても、陰圧供給路６（患者Ａ）から搬送されたウイルスは、排気ファン４３により排出口４６から排出されるため、陽圧供給路５（医療従事者Ｂ）へウイルスが流送されることを抑制できる。
また、陽圧供給室４１６から開口部４１８を通じて陰圧供給室４１７へ空気が流入するので、これによっても、陰圧供給室４１７から陽圧供給室へウイルスが流出することを抑制できる。
【００２５】
尚、患者Ａが白血病や抗がん剤治療で免疫が低下している場合には、第１ブース１、第２ブース２に陽圧供給路５を連結し、第１マスク３に陰圧供給路６を連結して、第１、第２ブース１，２を陽圧にし、第１マスク３を陰圧にし、医療従事者Ｂが第１マスク３を着用した状態で患者Ａをブース１，２へ収容することで、患者Ａをブース１，２へ収容する際も、患者Ａが菌やウイルスに感染することを抑制できる。
【００２６】
（第２実施形態）
図５、図６は、本発明の第２実施形態に係る感染防止ユニット２００を示している。感染防止ユニット２００は、図６に示すように、２名の医療従事者Ｂ，Ｂで患者Ａを世話するためのもので、２つの第１マスク３，３と、第２マスク（隔離室）２０１と、換気ファンフィルタユニット２０４と、陽圧供給路５と、陰圧供給路６とを備えている。第１マスク３，３に陽圧（一方の圧）が供給される場合には、第２マスク２０１には陰圧（他方の圧）が供給され、第１マスク３，３に陰圧（一方の圧）が供給される場合には、第２マスク２０１には陽圧（他方の圧）が供給される。第２マスク２０１は、第１マスク３と同様の形状を有している。
尚、第２実施形態において第１実施形態と共通する部材は、同一符号を用いて説明を省略する。
【００２７】
換気ファンフィルタユニット２０４は、集中治療室等に固設され、吸引口４５が当該室内に開口するとともに、排出口４６が排出管４６１により室外に連通しており、室内を陰圧にすることができる。換気ファンフィルタユニット２０４は、複数の陽圧ノズル４８，４８，…と、複数の陰圧ノズル４９，…とを備えており、複数の第１マスク３,…、複数の第２マスク２０１，…を取り付け可能である。
尚、図示は省略したが、換気ファンフィルタユニット２０４は、壁に埋め込むようにしてもよい。
【００２８】
感染防止ユニット２００を用いてウイルスに感染した患者Ａの治療にあたる場合、医療従事者が着用する第１マスク３，３には陽圧を供給し、患者が着用する第２マスク２０１には陰圧を供給する。こうすることで、患者Ａの呼気に含まれるウイルスは、第２マスク２０１から陰圧供給路６、換気ファンフィルタユニット２０４を介し室外へ排出される。
また、患者Ａから第２マスク２０１を外して治療を行う際も、医療従事者Ｂ，Ｂは、陽圧にした第１マスク３，３を着用しているので、患者からのウイルスに感染することがない。
尚、第2マスク２０１をブースに切り替えることもできる。
また、第２実施形態においても、第１マスク３を陰圧にし、第２マスク２０１を陽圧にして用いることができることは、言うまでもない。
【００２９】
以上、本発明に係る感染防止ユニットは、上記の実施形態に限らず、例えば、換気ファンフィルタユニットは、陽圧供給路と陰圧供給路が、フィルタを挟んで反対側に設けられ、陰圧供給路から供給された空気を、フィルタを介して陽圧供給路へ供給するようにしてもよい。ブースは、車椅子やベッドに設けるものに限られない。換気ファンフィルタユニットは、車椅子に載置できなくともよい。排出口を室内へ連通させてもよいし、吸引口を室外に連通させてもよい。車椅子にはブースではなく、第２マスクを装備してもよい。
【符号の説明】
【００３０】
１００，２００  感染防止ユニット
１  第１ブース（隔離室）
２  第２ブース（隔離室）
３  第１マスク
４，２０４  換気ファンフィルタユニット
４２  給気ファン
４３  排気ファン
４４  フィルタ
４５  吸引口
４６  排出口
５  陽圧供給路
６  陰圧供給路
２０１  第２マスク（隔離室）
Ａ  患者
Ｂ  医療従事者
Ｃ  車椅子
Ｄ  ベッド
【要約】      （修正有）【課題】患者と、これを世話する医療従事者との間の感染を防止する感染防止ユニットを提供する。【解決手段】感染防止ユニット１００は、細菌やウイルスによる感染を防止するための感染防止ユニットであって、陽圧、又は陰圧のうち一方の圧を供給される第１マスク３と、陽圧、又は陰圧のうち他方の圧を供給されるブース１と、第１マスク３に一方の圧を供給するとともに、ブース１に他方の圧を供給する換気ファンフィルタユニット４と、換気ファンフィルタユニット４から陽圧を供給する陽圧供給路５と、換気ファンフィルタユニットから前記陰圧を供給する陰圧供給路６とを備える。【選択図】図１【図１】
0006850511.tif 000002
【図２】
0006850511.tif 000003
【図３】
0006850511.tif 000004
【図４】
0006850511.tif 000005
【図５】
0006850511.tif 000006
【図６】
0006850511.tif 000007